(57)【特許請求の範囲】
【請求項１】
ネガフィルム上の原稿画像を読み取って入力するか、または、被写体をデジタルカメラによって撮像した画像を入力する画像入力手段と、
前記画像入力手段により入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップ手段と、
前記第１セットアップ手段により変換された中間画像データを可搬の記録メディアに記録する出力手段と、
を有することを特徴とする画像処理装置。
【請求項２】
ネガフィルム上の原稿画像を読み取って入力するか、または、被写体をデジタルカメラによって撮像した画像を入力する画像入力手段と、
前記画像入力手段により入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップ手段と、
前記第１セットアップ手段により変換された中間画像データを可搬の記録メディアに記録する出力手段と、
前記可搬の記録メディアに記録された中間画像データを入力する入力手段と、
前記第１セットアップ手段により変換された中間画像データまたは前記入力手段により入力された中間画像データを、デジタル露光を行う出力記録メディアの特性に基づいて可視露光量に変換した後、前記出力記録メディアへ出力するための第２中間画像データに変換する第２セットアップ手段と、
前記第２セットアップ手段により変換された第２中間画像データを、前記出力記録メディアおよび画像出力手段へ出力するか、または、表示出力する画像出力手段の種別に依存した色信号による出力画像データに変換する第３セットアップ手段と、
を有することを特徴とする画像処理装置。
【請求項３】
前記第２中間画像データは、ユーザの感覚に合わせた色信号によるものであることを特徴とする請求項１又は２記載の画像処理装置。
【請求項４】
第１の画像処理装置と、可搬の記録メディアと、第２の画像処理装置と、を備えた画像処理システムであって、
前記第１の画像処理装置は、少なくとも、
ネガフィルム上の原稿画像を読み取って入力するか、または、被写体をデジタルカメラによって撮像した画像を入力する画像入力手段と、
前記画像入力手段により入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップ手段と、
前記第１セットアップ手段により変換された中間画像データを前記可搬の記録メディアに記録する出力手段と、を有し、
前記第２の画像処理装置は、少なくとも、
前記可搬の記録メディアに記録された中間画像データを入力する入力手段と、
前記入力手段により入力された中間画像データを、デジタル露光を行う出力記録メディアの特性に基づいて可視露光量に変換した後、前記出力記録メディアへ出力するための第２中間画像データに変換する第２セットアップ手段と、
前記第２セットアップ手段により変換された第２中間画像データを、前記出力記録メディアおよび画像出力手段へ出力するか、または、表示出力する画像出力手段の種別に依存した色信号による出力画像データに変換する第３セットアップ手段と、を有することを特徴とする画像処理システム。
【請求項５】
前記第２中間画像データは、ユーザの感覚に合わせた色信号によるものであることを特徴とする請求項４記載の画像処理システム。
【請求項６】
ネガフィルム上の原稿画像を読み取って入力するか、または、被写体をデジタルカメラによって撮像した画像を入力する画像入力ステップと、
前記画像入力ステップにより入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップステップと、
前記第１セットアップステップにより変換された中間画像データを可搬の記録メディアに記録する出力ステップと、前記可搬の記録メディアに記録された中間画像データを入力する入力ステップと、前記第１セットアップステップにより変換された中間画像データまたは前記入力ステップにより入力された中間画像データを、デジタル露光を行う出力記録メディアの特性に基づいて可視露光量に変換した後、前記出力記録メディアへ出力するための第２中間画像データに変換する第２セットアップステップと、
前記第２セットアップステップにより変換された第２中間画像データを、前記出力記録メディアおよび画像出力手段へ出力するか、または、表示出力する画像出力手段の種別に依存した色信号による出力画像データに変換する第３セットアップステップと、
を有することを特徴とする画像処理方法。
【請求項７】
前記第２中間画像データは、ユーザの感覚に合わせた色信号によるものであることを特徴とする請求項６記載の画像処理方法。
【請求項８】
請求項６又は７記載の画像処理方法をコンピュータに実行させるためのプログラムとして記憶した、コンピュータにより読み取り可能な記憶媒体。
【発明の詳細な説明】
【０００１】
【発明の属する技術分野】
本発明は、デジタル露光のための画像処理装置、画像処理システム、画像処理方法およびその画像処理方法をコンピュータに実行させるためのプログラムとして記憶したコンピュータにより読み取り可能な記憶媒体に係り、特に、入力記録メディアや画像入力手段に依存しない色階調の再現を実現すると共に、出力記録メディアや画像出力手段に応じた最適な色階調および分解能を獲得し得る画像処理装置、画像処理システム、画像処理方法および記憶媒体に関する。
【０００２】
【従来の技術】
従来、銀塩写真技術における露光系では、一般にアナログ露光（面露光）によってプリントが行われている。すなわち、現像済みのネガフィルムを所定の焼付位置に位置決めして、白色光源（ハロゲンランプ等）からの光を照射し、ネガフィルムからの透過画像を印画紙に結像して露光するものである。このような面露光系では、ネガフィルムに記録された原稿画像を忠実に再現することができる。
【０００３】
ところで、近年、原稿画像をデジタルデータに変換し、所定の画像処理を施し、感光材料へ露光して画像を得る、いわゆるデジタルプリンタの技術が進歩してきており、銀塩写真とほぼ同等の画像を作成することができるようになっている。
【０００４】
このようなデジタル露光では、原稿画像をスキャナ等の画像入力手段で読取り、読み取った各色の画像濃度信号を、プリントしようとするペーパーの分光感度特性に合わせて濃度データに変換し、例えば、半導体レーザビームを走査することによって記録している。このように、原稿画像をデジタル化することにより、様々な付随的処理、例えば、サイズ変更や文字入力等を簡単に行うことが可能となり、写真分野の発展に寄与することが可能である。
【０００５】
【発明が解決しようとする課題】
しかしながら、上記従来のデジタル露光のための画像処理装置にあっては、ネガフィルム、ポジフィルム等の入力記録メディアや、デジタルカメラ、スキャナ等の画像入力手段に、または、モニタ（ＣＲＴ）、プロジェクタ、プリンタ等の画像出力手段に依存した、或いは関連した画像データを用いて画像処理を行っており、例えば、デジタルカメラによって画像データを入力したり、ネガフィルムをスキャナで読み取って画像データを入力するときに、ネガ種などの入力記録メディアや画像入力手段の種類が異なる場合には、同じシーンを扱っても、得られる画像の色階調は同一にはならないという事情があった。
【０００６】
また、画像処理の結果は、何らかの出力記録メディアや画像出力手段を想定した上で、例えば１画素当たり２４ビットのデータ（Ｒ，Ｇ，Ｂについて各８ビットのデータ）に落としていたため、想定されているものとは異なる出力記録メディアや画像出力手段に出力する場合には、該出力記録メディアや画像出力手段にとって最適の色階調および分解能を得ることができないという事情もあった。
【０００７】
本発明は、上記従来の事情に鑑みてなされたものであって、入力記録メディアや画像入力手段に依存しない色階調の再現を実現すると共に、出力記録メディアや画像出力手段に応じた最適な色階調および分解能を獲得し得る画像処理装置、画像処理システム、画像処理方法および記憶媒体を提供することを目的としている。
【０００８】
【課題を解決するための手段】
上記課題を解決するために、本願の請求項１に係る画像処理装置の発明は、ネガフィルム上の原稿画像を読み取って入力するか、または、被写体をデジタルカメラによって撮像した画像を入力する画像入力手段と、前記画像入力手段により入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップ手段と、前記第１セットアップ手段により変換された中間画像データを可搬の記録メディアに記録する出力手段と、を有することを特徴とする。
【０００９】
また、請求項２に係る画像処理装置の発明は、ネガフィルム上の原稿画像を読み取って入力するか、または、被写体をデジタルカメラによって撮像した画像を入力する画像入力手段と、前記画像入力手段により入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップ手段と、前記第１セットアップ手段により変換された中間画像データを可搬の記録メディアに記録する出力手段と、前記可搬の記録メディアに記録された中間画像データを入力する入力手段と、前記第１セットアップ手段により変換された中間画像データまたは前記入力手段により入力された中間画像データを、デジタル露光を行う出力記録メディアの特性に基づいて可視露光量に変換した後、前記出力記録メディアへ出力するための第２中間画像データに変換する第２セットアップ手段と、前記第２セットアップ手段により変換された第２中間画像データを、前記出力記録メディアおよび画像出力手段へ出力するか、または、表示出力する画像出力手段の種別に依存した色信号による出力画像データに変換する第３セットアップ手段と、を有することを特徴とする。
【００１０】
また、請求項３に係る画像処理装置の発明は、請求項１または２に記載の画像処理装置において、前記第２中間画像データがユーザの感覚に合わせた色信号によるものであることを特徴とする。
【００１１】
また、請求項４に係る画像処理システムの発明は、第１の画像処理装置と、可搬の記録メディアと、第２の画像処理装置と、を備えた画像処理システムであって、前記第１の画像処理装置が、少なくとも、ネガフィルム上の原稿画像を読み取って入力するか、または、被写体をデジタルカメラによって撮像した画像を入力する画像入力手段と、前記画像入力手段により入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換する第１セットアップ手段と、前記第１セットアップ手段により変換された中間画像データを前記可搬の記録メディアに記録する出力手段と、を有し、前記第２の画像処理装置は、少なくとも、前記可搬の記録メディアに記録された中間画像データを入力する入力手段と、前記入力手段により入力された中間画像データを、デジタル露光を行う出力記録メディアの特性に基づいて可視露光量に変換した後、前記出力記録メディアへ出力するための第２中間画像データに変換する第２セットアップ手段と、前記第２セットアップ手段により変換された第２中間画像データを、前記出力記録メディアおよび画像出力手段へ出力するか、または、表示出力する画像出力手段の種別に依存した色信号による出力画像データに変換する第３セットアップ手段と、を有することを特徴とする。
【００１２】
また、請求項５に係る発明は、請求項４記載の画像処理システムにおいて、前記第２中間画像データがユーザの感覚に合わせた色信号によるものであることを特徴とする。
【００１３】
また、請求項６に係る画像処理方法の発明は、ネガフィルム上の原稿画像を読み取って入力するか、または、被写体をデジタルカメラによって撮像した画像を入力する画像入力ステップと、前記画像入力ステップにより入力した画像データを、前記ネガフィルムを読み取った場合には前記ネガフィルムの露光特性と分光感度分布と色材の分光分布の少なくともいずれか１つから、または、前記デジタルカメラによって撮像した画像を入力した場合には前記デジタルカメラの入出力特性および分光感度分布から、人間の眼の分光感度で捉えた信号に変換することにより得られる、前記ネガフィルムおよび前記デジタルカメラの種別に依存しない色信号（実景の輝度情報をベースにした色信号）による中間画像データに変換するる第１セットアップステップと、前記第１セットアップステップにより変換された中間画像データを可搬の記録メディアに記録する出力ステップと、前記可搬の記録メディアに記録された中間画像データを入力する入力ステップと、前記第１セットアップステップにより変換された中間画像データまたは前記入力ステップにより入力された中間画像データを、デジタル露光を行う出力記録メディアの特性に基づいて可視露光量に変換した後、前記出力記録メディアへ出力するための第２中間画像データに変換する第２セットアップステップと、前記第２セットアップステップにより変換された第２中間画像データを、前記出力記録メディアおよび画像出力手段へ出力するか、または、表示出力する画像出力手段の種別に依存した色信号による出力画像データに変換する第３セットアップステップと、を有することを特徴とする。
【００１４】
また、請求項７に係る発明は、請求項６記載の画像処理方法において、前記第２中間画像データがユーザの感覚に合わせた色信号によるものであることを特徴とする。
【００１５】
また、請求項８に係るコンピュータにより読み取り可能な記憶媒体の発明は、請求項６又は７記載の画像処理方法をコンピュータに実行させるためのプログラムとして記憶したことを特徴としている。
【００１９】
ここで、画像入力手段としてデジタルカメラ、スキャナ等が該当し、入力記録メディアとして反射プリント、ネガフィルム、ポジフィルム等が該当し、画像出力手段としてモニタ（ＣＲＴ）、プロジェクタ、（銀塩方式プリンタ、インクジェットプリンタ、昇華型プリンタ、熱転写プリンタ等の各）プリンタ、印刷機等が該当し、出力記録メディアとして銀塩方式プリンタ、インクジェットプリンタ、昇華型プリンタ、熱転写プリンタ等の各プリンタにおけるペーパー等が該当する。
【００２０】
また、可搬の記録メディアとしては、ハードディスク装置、フロッピーディスク、ＭＯ、ＣＤ−Ｒ、ＤＶＤ等のデバイスが該当する。尚、可搬の記録メディアに記録される中間画像データは、実景の輝度情報等の情報をも反映したものとなるために、従来のデータ（１画素当たり２４ビットデータ）よりも大きい、例えば４８ビットデータ（Ｒ，Ｇ，Ｂについて各１６ビットのデータ）を想定している。
【００２１】
本発明に係る画像処理装置、画像処理システム、画像処理方法および記録媒体では、第１の画像処理装置において、画像入力手段（画像入力ステップ）により、入力記録メディア上の原稿画像を読み取って入力するか、または、被写体を撮像して画像データを入力し、第１セットアップ手段（第１セットアップステップ）により、該入力画像データを、入力記録メディアおよび画像入力手段の種別に依存しない色信号による中間画像データに変換した後、出力手段（出力ステップ）により、該変換された中間画像データを可搬の記録メディアに記録する。そして、別の第２の画像処理装置において、入力手段（入力ステップ）により、可搬の記録メディアに記録された中間画像データを入力し、第２セットアップ手段（第２セットアップステップ）により、該入力された中間画像データを、デジタル露光を行う出力記録メディアの特性に基づいて可視露光量に変換した後、出力記録メディアへ出力するための第２中間画像データに変換し、さらに、第３セットアップ手段（第３セットアップステップ）により、該変換された第２中間画像データを、出力記録メディアおよび画像出力手段の種別に依存した色信号による出力画像データに変換するようにしている。
【００２２】
尚、第２の画像処理装置における処理を第１の画像処理装置において行ってもよい。すなわち、第２セットアップ手段（第２セットアップステップ）において、第１セットアップ手段（第１セットアップステップ）により変換された中間画像データを、デジタル露光を行う出力記録メディアの特性に基づいて可視露光量に変換した後、出力記録メディアへ出力するための第２中間画像データに変換し、さらに、第３セットアップ手段（第３セットアップステップ）による処理を行うようにしてもよい。
【００２３】
特に、第１セットアップ手段（第１セットアップステップ）では、入力画像データを実景の輝度情報をベースにした色信号による中間画像データに変換するのが望ましい。例えば、ネガフィルムをスキャナ等の画像入力手段で読み取る場合には、ネガフィルムの露光特性および分光感度分布、色材の分光分布や、画像入力手段の入出力特性および分光感度分布から、ネガフィルムに記録されているシーンを人間（ユーザ）の眼の分光感度で捉えた信号（輝度データ、濃度データ等）に変換し、出力手段（出力ステップ）により、該変換された中間画像データをデジタル画像データとして可搬の記録メディアに保存する。
【００２４】
また特に、可搬の記録メディアに保存された中間画像データを可視化する際には、第２セットアップ手段（第２セットアップステップ）において、ユーザの感覚に合わせた色信号による第２中間画像データに変換するのが望ましい。例えば、出力（可視化）する出力記録メディアや画像出力手段に応じて、実シーンの輝度圧縮、色再現域の対応、ユーザの好ましさに合った絵作りなどを行った後に、第３セットアップ手段（第３セットアップステップ）により、出力記録メディアや画像出力手段の色再現域および階調分解能に応じた色信号による出力画像データに変換して出力する。
【００２５】
これにより、入力記録メディアや画像入力手段に依存しない色階調の再現が実現でき、種々の入力方法による入力画像データを共通に扱うことができると共に、出力記録メディアや画像出力手段に応じた最適な色再現を行うことができ、最適な色階調および分解能で出力できる。また再セットアップも可能である。
【００２６】
【発明の実施の形態】
以下、本発明の画像処理装置、画像処理システム、画像処理方法および記憶媒体の実施の形態について、図面を参照して詳細に説明する。
【００２７】
図１は、本発明の一実施形態に係る画像処理装置（画像処理システム）の構成図であると共に、処理の概略的な流れを説明する説明図でもある。また、図２には、本実施形態の画像処理装置（画像処理システム）が適用される写真画像処理システムの構成図を示す。
【００２８】
まず図２において、写真画像処理システムは、第１および第２の画像処理装置２００Ａおよび２００Ｂを備えた構成であり、装置の制御、種々の処理および演算、並びに各種入出力機器の制御を行うパーソナルコンピュータ（以下、パソコンという）を２台（２１２Ａおよび２１２Ｂ）備えている。これら２台のパソコン２１２Ａおよび２１２Ｂは、可搬の記録メディア２１０を介してデータのやり取りが可能な構成である。ここで、記録メディア２１０としては、ハードディスク装置、フロッピーディスク、ＭＯ、ＣＤ−Ｒ、ＤＶＤなど種々のデバイスを使用することが可能である。
【００２９】
また、２台のパソコン２１２（２台のパソコン２１２Ａおよび２１２Ｂの構成は同等であるので、以下の説明で特に差別する必要のない場合には、各構成要素を含め、添え字のＡおよびＢの表記を省略する）は、外部操作手段としてのキーボード２２２およびマウス２２４、画像表示手段としてのモニタ２３０、画像入力手段としてのスキャナ２３２およびデジタルカメラ２３３、並びに、画像出力手段としての写真プリンタ２３４を備えた構成である。
【００３０】
パソコン２１２は、演算および各種の制御を行うＣＰＵ２１４、ＣＰＵ２１４の演算および制御プログラムを記憶したＲＯＭ（図示せず）、作業エリアとしてのＲＡＭ２１６、入出力機器の制御用プログラムや各種データ（データファイル）等を記憶するハードディスクドライブ（図示せず）および入出力インタフェース２２０等を備え、これらは図示しないデータバスおよびコントロールバスを介して接続された構成となっている。
【００３１】
入出力インタフェース２２０には、キーボード２２２およびマウス２２４等の外部操作手段が接続されている。また、パソコン２１２はＶＲＡＭ２２６を備えており、該ＶＲＡＭ２２６に一時記憶されたデータに基づいた画像をモニタ２３０に表示しながら種々の処理操作が可能となっている。また、入出力インタフェース２２０には、画像入力手段としてスキャナ２３２およびデジタルカメラ２３３が接続され、画像出力手段として写真プリンタ２３４が接続されている。尚、スキャナ２３２、デジタルカメラ２３３および写真プリンタ２３４については複数台を備えた構成としてもよく、また、入出力インタフェース２２０に外部ハードディスク装置等の外部記憶装置を接続した構成としてもよい。
【００３２】
パソコン２１２は、スキャナ２３２またはデジタルカメラ２３３から画像データの読み込みを行うと共に、写真プリンタ２３４へ画像データを出力する。尚、入出力インタフェース２２０としては、ＳＣＳＩ（Small Computer System Interface）またはＳＣＳＩ−２が用いられ、スキャナ２３２、デジタルカメラ２３３および写真プリンタ２３４をシリアルまたはパラレルに接続している。
【００３３】
スキャナ２３２は、写真プリント等を反射型原稿として、該原稿画像に照射した光の反射光を受光して画像データとして出力する。また、スキャナ２３２は、ネガフィルムやポジフィルム等を透過型原稿として、該原稿画像に照射した光の透過光（または透過して反射する光）を受光して画像データとして出力する。また、デジタルカメラ２３３は、被写体を撮像して画像データとして出力する。
【００３４】
また、写真プリンタ２３４としては、種々のサイズのカラー印画紙等の感光材料（以下、ペーパーという）を、パソコン２１２から出力された画像データに応じてデジタル露光してプリントを作成する。尚、写真プリンタ２３４には、パソコン２１２から出力される画像データを一時記憶するメモリを備えており、該メモリに一時記憶したデータに基づいてプリントを作成する。このような写真プリント２３４として、例えば、富士写真フイルム（株）製の「Pictrography 3000（商品名）」を用いることができる。
【００３５】
次に、図１では、本実施形態の画像処理装置（画像処理システム）で、主としてパソコン２１２によって実現される機能ブロックの構成を示している。同図において、記録メディア２１０より上側の上半分は第１の画像処理装置２００Ａ（パソコン２１２Ａ）により実現され、記録メディア２１０より下側の下半分は第２の画像処理装置２００Ｂ（パソコン２１２Ｂ）により実現されるものとして描いている。尚、上半分および下半分を１台の画像処理装置で実現することも可能である。また、図１を参照する説明においても、特に差別する必要のない場合には、構成要素について添え字のＡおよびＢの表記を省略する。
【００３６】
図１において、本実施形態の画像処理装置（画像処理システム）は、第１の画像処理装置２００Ａと、可搬の記録メディア２１０と、第２の画像処理装置２００Ｂとを備えた画像処理システムである。第１の画像処理装置２００Ａは、主な機能ブロックの構成として、入力記録メディア上の原稿画像を読み取って入力する画像入力手段としてのスキャナ２３２Ａと、被写体を撮像して入力する画像入力手段としてのデジタルカメラ２３３Ａと、画像入力手段（スキャナ２３２Ａまたはデジタルカメラ２３３Ａ）により入力した画像データを面順次画像フォーマットに変換する画像データ変換部１００と、画像データ変換部１００により変換された画像データを入力記録メディアおよび画像入力手段（スキャナ２３２Ａおよびデジタルカメラ２３３Ａ）の種別に依存しない色信号による中間画像データｅに変換する第１セットアップ部１０４と、第１セットアップ部１０４により変換された中間画像データｅを記録メディア２１０に記録する出力手段（図示せず）とを備えた構成である。
【００３７】
また第２の画像処理装置２００Ｂは、主な機能ブロックの構成として、記録メディア２１０に記録された中間画像データｅを入力する入力手段（図示せず）と、入力手段により入力された中間画像データを、デジタル露光を行う出力記録メディアの特性に基づいて可視露光量に変換した後、出力記録メディアへ出力するための第２中間画像データｆに変換する第２セットアップ部１０８と、第２セットアップ部１０８により変換された第２中間画像データｆを、出力記録メディアおよび出力記録メディアへ出力する画像出力手段としてのプリンタ２３４Ｂか、または、表示出力する画像出力手段としてのモニタ２３０Ｂの種別に依存した色信号による出力画像データｇに変換する第３セットアップ部１１０とを備えた構成である。
【００３８】
尚、第２の画像処理装置２００Ｂにおける処理を、第１の画像処理装置２００Ａにおいて行う場合には、第２セットアップ部１０８において、第１セットアップ部１０４により変換された中間画像データｅを直接取り込み、デジタル露光を行う出力記録メディアの特性に基づいて可視露光量に変換した後、出力記録メディアへ出力するための第２中間画像データｆに変換し、さらに、第３セットアップ部１１０による処理を行うといった流れになる。
【００３９】
まず、スキャナ２３２によって読み込まれた、或いは、デジタルカメラ２３３によって撮像された入力画像データは、画像データ変換部１００に入力される。この画像データ変換部１００は、スキャナ２３２またはデジタルカメラ２３３の機種毎に予め設定されている第０ルックアップテーブル（以下、ＬＵＴと略記する）１２０を参照しており、スキャナ２３２またはデジタルカメラ２３３の機種に応じて選択した第０ＬＵＴ１２０から変換データを読み込み、該変換データに基づいて入力画像データの変換を行う。例えば、スキャナ２３２がＲ，Ｇ，Ｂの各色成分を一走査ライン毎に出力する機種であれば、１画像分の画像データを読み込むと、Ｒ画像フレーム，Ｇ画像フレームおよびＢ画像フレームの面順次の画像データに変換し、何れの機種のスキャナ２３２であっても、画像データを面順次に出力する。また、デジタルカメラ２３３についても同様である。
【００４０】
画像データ変換部１００によって変換されて出力される画像データは、スキャナ２３２またはデジタルカメラ２３３からの入力画像として変換データメモリ１０２上に保存される。この変換データメモリ１０２上に保存された画像データに対応した画像は、モニタ２３０上に表示可能となっている。
【００４１】
次に、第１セットアップ部１０４では、スキャナ２３２またはデジタルカメラ２３３の分光特性とリニアリティーを補正し、スキャナ２３２またはデジタルカメラ２３３からの入力画像データをStatus M（透過原稿）またはStatus A（反射原稿）濃度値に変換する。これにより、以降の（中間画像データｅを扱う）画像処理では画像入力手段の種別に依存しない処理が可能となる。
【００４２】
第１セットアップ部１０４は、画像データ変換部１００から出力される画像データまたは変換データメモリ１０２上に保存されている画像データを取り込む。第１セットアップ部１０４に対しては、画像データ補正用のパラメータとして、予め、第１ＬＵＴ１２１、第１係数マトリクス１３１および第２ＬＵＴ１２２が設定されている。これら第１ＬＵＴ１２１、第１係数マトリクス１３１および第２ＬＵＴ１２２の内容は、画像入力手段（スキャナ２３２またはデジタルカメラ２３３）の種別と原稿種の組み合わせで変更される。
【００４３】
第１ＬＵＴ１２１は、スキャナ２３２またはデジタルカメラ２３３によって入力された入力画像データを輝度リニアな信号に変換するテーブルであり、濃度の異なる複数のフィルタ（ＮＤフィルタ）をスキャナ２３２またはデジタルカメラ２３３によって入力した値と、フィルタ透過濃度を輝度に変換した値とを比較し、スキャナ２３２またはデジタルカメラ２３３によって入力した値をフィルタ透過濃度値と一致させる。尚、第１ＬＵＴ１２１は、予め、スキャナ２３２またはデジタルカメラ２３３の機種毎に、また原稿種（透過原稿か反射原稿かにより、並びに、透過原稿であるときにはネガ型かポジ型かにより）に応じて設定されている。
【００４４】
また、第１係数マトリクス１３１は、スキャナ２３２またはデジタルカメラ２３３の分光感度分布を補正し、透過原稿（Status M）または反射原稿（Status A）での読取値に変換するための演算に使用される。第１係数マトリクス１３１は、スキャナ２３２またはデジタルカメラ２３３の分光感度分布およびフィルム（ネガ型またはポジ型）の分光分布が判っている場合には、例えば、原稿であるフィルムの画像をスキャナ２３２によって読み取った輝度値とStatus MまたはStatus Aで読み取ったときの輝度値を計算で求める。
【００４５】
また、スキャナ２３２またはデジタルカメラ２３３の分光感度分布或いはフィルムの分光分布が判らない場合には、例えば、適性条件で撮影したフィルム原稿または適性露光により作成したチャート原稿をスキャナ２３２または濃度計等の測定器によって読み取った輝度値に変換し、スキャナ２３２によって入力したときのＲ，Ｇ，Ｂの輝度値またはＹ，Ｍ，Ｃの輝度値がStatus MまたはStatus Aで入力したときのＲ，Ｇ，Ｂの輝度値またはＹ，Ｍ，Ｃの輝度値に変換されるように最小自乗法等によって求められる。尚、適性露光によって作成するチャート原稿としては、例えば、ネガフィルムに記録したチャート原稿画像を従来の写真プリントを作成するために用いられる面露光系によって、チャート原稿画像の透過光によってカラー印画紙をアナログ露光して作成した写真プリントを用いる。
【００４６】
さらに、第２ＬＵＴ１２２は、輝度信号を濃度値に変換するテーブルである。尚、変換された値は、原稿が反射プリントの場合はプリント濃度値であり、原稿が透過フィルムの場合は透過濃度値である。
【００４７】
このように、第１セットアップ部１０４では、第１ＬＵＴ１２１、第２ＬＵＴ１２２および第１係数マトリクス１３１に予め保持されているデータを、画像データの補正用のパラメータとして読み込んで、読み込んだパラメータに基づいて画像データを補正し、透過原稿および反射原稿の画像データを同一レベルの濃度信号の中間画像データｅに変換している。
【００４８】
第１セットアップ部１０４から出力された中間画像データ（濃度データ）ｅは、モニタ２３０上に中間画像を表示する画像データとして中間画像データメモリ１０６Ａ上に保存され、また中間画像データメモリ１０６Ａの内容は、可搬の記録メディア２１０に記録される。
【００４９】
次に、第２セットアップ部１０８では、画像の色調および階調を調整すると同時に、原稿濃度値をプリント濃度値に変換する。第２セットアップ部１０８は、第１セットアップ部１０４から出力された中間画像データまたは記録メディア２１０（中間画像データメモリ１０６Ｂ）上に記録されている中間画像データ（何れも濃度データ）ｅを読み込む。第２セットアップ部１０８に対しては、画像データ補正用のパラメータとして、予め第３ＬＵＴ１２３、第２係数マトリクス１３２および第４ＬＵＴ１２４が設定されている。これら第３ＬＵＴ１２３、第２係数マトリクス１３２および第４ＬＵＴ１２４の内容は、原稿種（フィルム種）とプリントペーパー種の組み合わせ、および、色調整機能で設定された値によって変更される。
【００５０】
第３ＬＵＴ１２３は、第１セットアップ部１０４から入力される中間画像データであるＲ，Ｇ，ＢまたはＣ，Ｍ，Ｙの原稿濃度値をＣＭＹおよびＤ（濃度）の各フィルタによってシフトするテーブルであり、予め原稿種に応じて設定されて記憶されている。
【００５１】
第２係数マトリクス１３２は、Ｒ，Ｇ，ＢまたはＣ，Ｍ，Ｙの原稿濃度値をペーパーへの露光量に変換するために３×３のマトリクス演算を行う時に用いる係数であり、第２係数マトリクス１３２は、原稿、例えばフィルムの分光分布と写真プリンタ２３４で画像露光するペーパーの分光分布から演算によって求められ、原稿種および感材種の組み合わせに応じて予め記憶されるものである。
【００５２】
第４ＬＵＴ１２４は、ペーパーの露光量からペーパー上へのプリント濃度に変換するテーブルであり、ペーパーのセンシメトリーデータをテーブル化して設定されるものである。
【００５３】
尚、第２係数マトリクス１３２および第４ＬＵＴ１２４を算出するデータがないときには、適性露光により撮影してチャート画像を記録したフィルム原稿を濃度計等の測定器によって読み取ったＲ，Ｇ，ＢまたはＣ，Ｍ，Ｙの濃度値と、該フィルム原稿を標準条件で面露光によって焼付けた写真プリントから測定したＣ，Ｍ，Ｙの各色のプリント濃度値を用い、Ｒ，Ｇ，ＢまたはＣ，Ｍ，Ｙの濃度値が、カラーペーパー上のＣ，Ｍ，Ｙのプリント濃度値に変換されるように演算して設定することができる。
【００５４】
このように、第２セットアップ部１０８では、原稿種と感材種に応じて選択された第３ＬＵＴ１２３、第２係数マトリクス１３２および第４ＬＵＴ１２４のパラメータを用いて、第１セットアップ部１０４から出力された中間画像データｅを、原稿とペーパーのそれぞれの特性に合わせて補正することにより、感材種によらずプリント濃度を一定にできる第２中間画像データ（プリント濃度データ）ｆとして出力する。
【００５５】
第２セットアップ１０８から出力された第２中間画像データ（プリント濃度データ）ｆは、第３セットアップ部１１０に供給される。
【００５６】
原稿が透過フィルムの場合、フィルムの特性値とプリントペーパーの特性値から、原稿がペーパーに焼付けられたときのプリント濃度を算出する。プリント濃度算出の際には、色調整機能としてのカラーフィルタ量の設定値を加味して、原稿濃度をシフトさせる。このカラーフィルタ量は、オートセットアップ演算により、原稿が適切に焼付けられるように設定される。また、オペレータがカラーフィルタ量を直接操作することも可能である。
【００５７】
画像処理モードが「面露光エミュレーションモード」に選択されている場合には、プリント階調はフィルムの特性値とプリントペーパーの特性値から決まる固定階調となるが、「デジタルイメージモード」が選択されている場合には、オートセットアップ演算により、原稿シーンが最適に仕上がるように、プリント階調が計算される。尚、「面露光エミュレーションモード」および「デジタルイメージモード」の何れの場合においても、トーンカーブを操作することにより、オペレータはそれぞれのモードで設定されたプリント階調に対して調整を行うことが可能である。
【００５８】
さらに、プリントされたときのハイライト／シャドウに対応する原稿上の濃度レンジにおいても、「面露光エミュレーションモード」の場合は、フィルムの特性値とプリントペーパーの特性値から決まる固定レンジとなるが、「デジタルイメージモード」が選択されている場合には、オートセットアップ演算により、原稿シーンが最適に仕上がるように、レンジを計算する。尚、「面露光エミュレーションモード」および「デジタルイメージモード」の何れの場合においても、レンジ調整機能により、オペレータはそれぞれのモードで設定されたレンジに対して調整を行うことが可能である。
【００５９】
以上、透過原稿について説明したが、原稿が反射プリントの場合には、第２セットアップ部１０８の入力信号は既にプリント濃度になっているため、色調整機能による色調・階調の調整のみが行われることとなる。また、デジタルカメラ２３３についても同様である。
【００６０】
次に、第３セットアップ部１１０では、プリント濃度値からプリント上の色を算出し、モニタ２３０上で好ましく見えるような信号値に対応させる。第３セットアップ部１１０は、第２中間画像データ（プリント濃度データ）ｆとして入力される画像データをモニタ２３０に適切に表示するためのＲＧＢモニタ信号（ＲＧＢモニタデータｇ）に変換する。第３セットアップ部１１０に対しては、画像データ補正用のパラメータとして、予め第５ＬＵＴ１２５、第３係数マトリクス１３３および第６ＬＵＴ１２６が設定されている。これら第５ＬＵＴ１２５、第３係数マトリクス１３３および第６ＬＵＴ１２６の内容は、プリントペーパー種によって変更される。ここで、変換されるＲＧＢモニタデータｇは、写真プリンタ２３４で第２中間画像データ（プリント濃度データ）ｆに基づいてペーパーを露光してプリントを作成したときに得られるプリントの階調および色調がモニタ２３０に表示されたときの階調および色調の見え（apperance）と一致するように変換される。
【００６１】
ここで必要となるのは、ペーパー上にプリントした画像のＣ，Ｍ，Ｙの各色のプリント濃度と測定値（Ｘ，Ｙ，ＺおよびＬＡＢ等）を対比するときに、ペーパーの色材およびベースの分光分布、色関数（x，ｙ，ｚ）から演算するか、或いは、チャート原稿の画像をモニタ２３０に表示したときの輝度とチャート原稿の画像を標準条件で焼付けた画像とを実測することにより、画像データに応じてカラーペーパーに焼付けた画像とモニタ２３０に表示したときの画像を対応させることができる。
【００６２】
また、画像データに応じた画像をモニタ２３０上に表示するときには、カラーペーパー上の測色値とモニタ２３０上の測色値を対応させる必要がある。画像データに応じた画像をモニタ２３０上に表示させるときには、色再現域、すなわち、色の圧縮、伸長によって所望の色をモニタ２３０上に再現できないときがある。これを防止するために、カラーペーパー上の測色値とモニタ２３０上の測色値を対応させる必要があるのである。
【００６３】
このため、カラーペーパー上で再現される色とモニタ２３０上で再現させる色の相関関係を計算によって求めるためには、色順応予測色を用いてカラーペーパー上の測色値をモニタ２３０上の測色値に対応させ、モニタ２３０上で再現できない色については、色差が最小となるモニタ２３０の色再現域内の色に対応させる。また、実測によって求めるときには、チャート原稿を標準条件で面露光（アナログ露光）によって焼付けた写真プリントを用い、このチャート原稿プリントとモニタ２３０上に表示した画像を比較しながら、両者が同じ色に見えるようにモニタ２３０上の色を決定しておく。
【００６４】
また、モニタ２３０上の画像の測色値をＲＧＢモニタ信号に対応させる必要がある。これは、γ値、色温度および蛍光体色度等のモニタ２３０の特性から計算によって求めることができる。
【００６５】
上記３点を考慮して、第５ＬＵＴ１２５、第３係数マトリクス１３３および第６ＬＵＴ１２６を予め設定しておけば、第２中間画像データ（プリント濃度データ）ｆに基づいた画像のペーパー上でのＣ，Ｍ，Ｙのプリント濃度に対応したＲＧＢモニタデータｇに変換することができる。
【００６６】
第５ＬＵＴ１２５および第６ＬＵＴ１２６は、濃度から輝度への変換および輝度からＲＧＢモニタ信号への変換を行うようにそれぞれ作成したテーブルであり、また第３係数マトリクス１３３は、ペーパー上のＣ，Ｍ，Ｙのプリント輝度値をモニタ２３０上のＲ，Ｇ，Ｂの輝度値に変換するように決定されている。
【００６７】
第２中間画像データ（プリント濃度データ）ｆは、第３セットアップ部１１０でＲＧＢモニタデータｇに変換されて、表示メモリ１１２上に表示画像として保存される。この表示メモリ１１２上に保持された画像データ（ＲＧＢモニタデータ）に基づいたモニタ２３０上の表示画像は、第２中間画像データ（プリント濃度データ）ｆに応じてペーパーにプリントした画像と、色調、階調等について同じ画像となる。これにより、スキャナ２３２またはデジタルカメラ２３３で入力した画像から、写真プリンタ２３４によって作成するプリントの画像を、モニタ２３０上で的確に予測できることとなる。
【００６８】
第３セットアップ部１１０の出力または表示メモリ１１２上のＲＧＢモニタデータｇは、プリントデータ変換部１１８を介して写真プリンタ２３４に供給される。尚、プリントデータ変換部１１８は、写真プリンタ２３４内に設けた構成としてもよい。
【００６９】
プリントデータ変換部１１８では、前述の第３セットアップ部１１０における補正と逆の処理を行っている。すなわち、第３セットアップ部１１０では、第２中間画像データ（プリント濃度データ）ｆをＲＧＢモニタデータｇに変換して出力するのに対し、プリントデータ変換部１１８では、ＲＧＢモニタデータｇを画像データとして扱い、第５ＬＵＴ１２５、第３係数マトリクス１３３および第６ＬＵＴ１２６を用いた変換と逆の変換を行って、第２中間画像データ（プリント濃度データ）ｆを出力する。
【００７０】
次に、以上説明した各構成要素に基づいて、写真画像処理システムにおける処理動作について詳しく説明する。
【００７１】
まず、スキャナ２３２またはデジタルカメラ２３３から入力した画像データをＲＧＢモニタデータｇとして出力する処理は、パソコン２１２に備えられている画像入力プログラム（以下、入力モジュールという）によって実行される。
【００７２】
入力モジュールでは、ファーストスキャン、プレスキャンおよびファインスキャンの３つのモードが設定される。ファーストスキャンは低解像度でＲ，Ｇ，Ｂ何れか１色の画像データのみを読み込むモードであり、プレスキャンは低解像度でカラー画像を読み込むモードであり、また、ファインスキャンはスキャナ２３２等の能力範囲内の高解像度のカラー画像を読み込むモードである。
【００７３】
入力モジュールでは、まず、画像入力手段の種別および（反射原稿か透過原稿かの）原稿種の設定を行った後、ファーストスキャンを実行する。このファーストスキャンによって、変換データメモリ１０２内に単色、例えばＲのみの画像データが保存される。
【００７４】
次に、変換データメモリ１０２上に保存されている画像データに応じた読取画像をモニタ２３０上に表示し、原稿種の詳細な設定および原稿から読み込む画像の読み込み領域等を設定する。この設定操作によって、第１ＬＵＴ１２１、第１係数マトリクス１３１および第２ＬＵＴ１２２におけるパラメータが選択される。
【００７５】
次に、プレスキャンを実行すると、低解像度のカラー画像が読み込まれ、ファーストスキャンで選択された第１ＬＵＴ１２１、第１係数マトリクス１３１および第２ＬＵＴ１２２のパラメータに基づいて、第１セットアップ部１０４により画像データの補正が行われ、その結果として得られる中間画像データ（濃度データ）ｅが中間画像データメモリ１０６Ａ上に保存され、記録メディア２１０に記録される。
【００７６】
次に、中間画像データメモリ１０６Ａまたは記録メディア２１０（中間画像データメモリ１０６Ｂ）上に保存されている中間画像データ（濃度データ）ｅに基づく画像をモニタ２３０上に表示し、写真プリンタ２３４で露光する感材種等の設定を行う。この設定操作によって、原稿種、感材種およびモニタ２３０に応じた第３ＬＵＴ１２３、第２係数マトリクス１３２および第４ＬＵＴ１２４、並びに、第５ＬＵＴ１２５、第３係数マトリクス１３３および第６ＬＵＴ１２６におけるパラメータが選択される。
【００７７】
次に、中間画像データメモリ１０６Ａまたは記録メディア２１０（中間画像データメモリ１０６Ｂ）上に保存されている中間画像データ（濃度データ）ｅを第２セットアップ部１０８に読み込んで、上記選択された第３ＬＵＴ１２３、第２係数マトリクス１３２および第４ＬＵＴ１２４のパラメータに基づいて第２中間画像データ（プリント濃度データ）ｆに変換し、さらに、該プリント濃度データｆを第３セットアップ部１１０に読み込んで、上記選択された第５ＬＵＴ１２５、第３係数マトリクス１３３および第６ＬＵＴ１２６に基づいてＲＧＢモニタデータｇに変換する。尚、写真プリント等の反射原稿から読み込んだ画像データは、第２中間画像データ（プリント濃度データ）ｆとなっているため、色調整のみが行われる。
【００７８】
また、プレスキャンによって、スキャナ２３２等から読み込まれた画像データは、読取画像データ、中間画像データおよび表示画像データ等のテンポラリー画像データとして、変換データメモリ１０２、中間画像データメモリ１０６（記録メディア２１０）および表示メモリ１１２上にそれぞれ保存される。
【００７９】
つまり、画像データ変換部１００から出力された画像データは、第１セットアップ部１０４に入力される。この第１セットアップ部１０４では、Status MまたはStatus A濃度値に変換した中間画像データ（濃度データ）ｅを出力する。これにより、以降の画像処理では、画像入力手段の種別に依存しない画像データを用いた処理を可能にしている。この中間画像データ（濃度データ）ｅは、中間画像データメモリ１０６（記録メディア２１０）上に保存されると共に、中間画像としてモニタ２３０上に表示される。
【００８０】
中間画像データ（濃度データ）ｅは、第２セットアップ部１０８に読み込まれ、予め設定されている第３ＬＵＴ１２３、第２係数マトリクス１３２および第４ＬＵＴ１２４のパラメータに基づき、原稿特性およびこの画像データに応じペーパーを露光するときのペーパーの特性を考慮して、ペーパー上に適切な階調および色調となるように補正され、プリント濃度に応じた第２中間画像データ（プリント濃度データ）ｆとして、第３セットアップ部１１０に出力される。
【００８１】
これにより、第３セットアップ部１０８では、原稿の画像を面露光系でプリントしたのと同等の画質でプリントできるように第２中間画像データ（プリント濃度データ）ｆを獲得することが可能である。すなわち、ネガフィルムに記録されている画像を露光によってプリントしたときに獲得すべきグレード（軟調、中間調、硬調、最硬調、超硬調）、感光度、コントラスト、カブリ、感色性、画質特性（粒状性、解像力、鮮鋭度、ＭＴＦ）等の違いを、デジタル露光によって再現できる。
【００８２】
また、第３セットアップ部１１０では、予め設定されている第５ＬＵＴ１２５、第３係数マトリクス１３３および第６ＬＵＴ１２６に基づき、ぺーパーの分光特性およびモニタ２３０の色再現特性を考慮して、第２中間画像データ（プリント濃度データ）ｆに応じた画像を、モニタ２３０に表示するための画像データ、すなわちＲＧＢモニタデータｇに変換する。第３セットアップ部１１０から出力されたＲＧＢモニタデータｇは、表示メモリ１１２上に保存され、モニタ２３０上には表示画像として表示される。
【００８３】
このように入力モジュールでは、スキャナ２３２等から読み込んだ原稿画像に応じた中間画像データ（濃度データ）ｅを作成し、さらに、自動的に該濃度データｅをＲＧＢモニタデータｇに変換するオートセットアップを行う。
【００８４】
また、パソコン２１２には出力処理プログラム（以下、出力モジュールという）がある。これは、画像データ（ＲＧＢモニタデータｇ）に応じた画像をモニタ２３０上に表示しながら、キーボード２２２およびマウス２２４を操作して、写真プリンタ２３４からプリント出力するときのプリントサイズ、プリント枚数と共に、倍率等のプリント条件をユーザが設定すると、プリント時の画像の自動レイアウトを行うものである。
【００８５】
以上説明したように、本実施形態では、画像入力手段２３２，２３３により、入力記録メディア上の原稿画像を読み取って入力するか、または、被写体を撮像して画像データを入力し、第１セットアップ部１０４により、該入力画像データを、入力記録メディアおよび画像入力手段２３２，２３３の種別に依存しない色信号による中間画像データｅに変換した後、該中間画像データｅを可搬の記録メディア２１０に記録する。そして、記録メディア２１０に記録された中間画像データを入力し、第２セットアップ部１０８により、該入力された中間画像データｅを、デジタル露光を行う出力記録メディアの特性に基づいて可視露光量に変換した後、出力記録メディアへ出力するための第２中間画像データｆに変換し、さらに、第３セットアップ部１１０により、該変換された第２中間画像データｆを、出力記録メディアおよび画像出力手段２３０，２３４の種別に依存した色信号による出力画像データｇに変換するようにしている。尚、第２セットアップ部１０８において、第１セットアップ部１０４により変換された中間画像データｅを直接取り込み、第２中間画像データｆに変換した後、第３セットアップ部１１０による処理を行うようにしてもよい。
【００８６】
特に、第１セットアップ部１０４では、入力画像データを実景の輝度情報をベースにした色信号による中間画像データｅに変換するのが望まく、例えば、ネガフィルムをスキャナ２３２等で読み取る場合には、ネガフィルムの露光特性および分光感度分布、色材の分光分布や、スキャナ２３２等の入出力特性および分光感度分布から、ネガフィルムに記録されているシーンを人間（ユーザ）の眼の分光感度で捉えた信号（輝度データ、濃度データ等）に変換し、出力手段（出力ステップ）により、該変換された中間画像データｅをデジタル画像データとして可搬の記録メディアに保存する。
【００８７】
また、可搬の記録メディアに保存された中間画像データｅを可視化する際には、第２セットアップ部１０８において、ユーザの感覚に合わせた色信号による第２中間画像データｆに変換するのが望ましい。例えば、出力（可視化）する出力記録メディアや画像出力手段２３０，２３４に応じて、実シーンの輝度圧縮、色再現域の対応、ユーザの好ましさに合った絵作りなどを行った後に、第３セットアップ部１１０により、出力記録メディアや画像出力手段２３０，２３４の色再現域および階調分解能に応じた色信号による出力画像データに変換して出力する。
【００８８】
これにより、入力記録メディアや画像入力手段２３２，２３３に依存しない色階調の再現が実現でき、種々の入力方法による入力画像データを中間画像データに落としてシステムのセットアップを行うので、種々の入力方法による入力画像データを共通に扱うことができる。また、記録した中間画像データについて、出力記録メディアや画像出力手段２３０，２３４に応じた最適な色再現を行うことができ、最適な色階調および分解能で出力できる。さらに、一旦、人間の眼の特性を活かした実シーンに充分相関があるような中間画像データとして記録するので、再セットアップが可能となる。
【００８９】
以上のような画像処理方法をコンピュータに実行させるためのプログラムをコンピュータにより読み取り可能な記録媒体上に記録しておくことにより、この記録媒体を可搬して、任意のパソコンにこの記録媒体の内容をロードすることでかかる処理を簡単に行わせることができるようになり、いっそう便利となる。
【００９０】
【発明の効果】
以上説明したように、本発明の画像処理装置、画像処理システム、画像処理方法および記憶媒体によれば、第１の画像処理装置において、画像入力手段（画像入力ステップ）により、入力記録メディア上の原稿画像を読み取って入力するか、または、被写体を撮像して画像データを入力し、第１セットアップ手段（第１セットアップステップ）により、該入力画像データを、入力記録メディアおよび画像入力手段の種別に依存しない色信号による中間画像データに変換した後、出力手段（出力ステップ）により、該変換された中間画像データを可搬の記録メディアに記録し、別の第２の画像処理装置において、入力手段（入力ステップ）により、可搬の記録メディアに記録された中間画像データを入力し、第２セットアップ手段（第２セットアップステップ）により、該入力された中間画像データを、デジタル露光を行う出力記録メディアの特性に基づいて可視露光量に変換した後、出力記録メディアへ出力するための第２中間画像データに変換し、さらに、第３セットアップ手段（第３セットアップステップ）により、該変換された第２中間画像データを、出力記録メディアおよび画像出力手段の種別に依存した色信号による出力画像データに変換することとしたので、入力記録メディアや画像入力手段に依存しない色階調の再現が実現でき、種々の入力方法による入力画像データを共通に扱うことができると共に、出力記録メディアや画像出力手段に応じた最適な色再現を行うことができ、最適な色階調および分解能で出力し得る画像処理装置、画像処理システム、画像処理方法および記憶媒体を提供することができる。
【図面の簡単な説明】
【図１】本発明の一実施形態に係る画像処理装置（画像処理システム）の構成図である。
【図２】実施形態の画像処理装置（画像処理システム）が適用される写真画像処理システムの構成図である。
【符号の説明】
１００    画像データ変換部
１０２    変換データメモリ
１０４    第１セットアップ部
１０６Ａ，１０６Ｂ    中間画像データメモリ
１０８    第２セットアップ部
１１０    第３セットアップ部
１１２    表示メモリ
１１８    プリントデータ変換部
１２０〜１２６    ＬＵＴ（ルックアップテーブル）
１３１〜１３３    係数マトリクス
ｅ    中間画像データ
ｆ    第２中間画像データ
ｇ    出力画像データ
２００Ａ    第１の画像処理装置
２００Ｂ    第２の画像処理装置
２１０    可搬の記録メディア
２１２Ａ，２１２Ｂ    パソコン（パーソナルコンピュータ）
２１４Ａ，２１４Ｂ    ＣＰＵ
２１６Ａ，２１６Ｂ    ＲＡＭ
２２０Ａ，２２０Ｂ    入出力インタフェース
２２２Ａ，２２２Ｂ    キーボード
２２４Ａ，２２４Ｂ    マウス
２３０Ａ，２３０Ｂ    モニタ（画像表示手段）
２３２Ａ，２３２Ｂ    スキャナ（画像入力手段）
２３３Ａ，２３３Ｂ    デジタルカメラ（画像入力手段）
２３４Ａ，２３４Ｂ    写真プリンタ（画像出力手段）
２２６Ａ，２２６Ｂ    ＶＲＡＭ
【図１】
0003929570.tif 000002
【図２】
0003929570.tif 000003